【事件の表示】
　平成１１年特許願第　５６１２４号「遠赤外線健康器、遠赤外線健康法及びダイオキシン類排泄方法」拒絶査定不服審判事件〔平成１２年　５月２３日出願公開、特開２０００−１４０１３５号〕について、次のとおり審決する。
【結　論】
　本件審判の請求は、成り立たない。
【理　由】
１．手続の経緯・本願発明
　本願は、平成１１年３月３日（優先権主張平成１０年９月１１日）の出願であって、平成１５年１２月２日付けで拒絶査定がなされ、これに対して、平成１６年１月８日に審判請求がなされ、同日付けで手続補正がなされたものである。
　請求項１、２に係る発明は、平成１６年１月８日付け手続補正書により補正された特許請求の範囲の請求項１、２に記載された事項によって特定されるとおりのものであるところ、その請求項１に係る発明（以下、「本願発明」という。）は次のとおりである。
「軸方向に入れ子式に接続される複数個の半円筒状体と、
　前記半円筒状体の内面略全面に設けられた抵抗体としてカーボンブラックを含む面状発熱体と、
　使用者の体を支持する底面と、を備え、
　前記底面の前記半円筒状体の内面に面する表面は、遠赤外線の反射材を含んでいる遠赤外線健康器であって、
　前記入れ子式に接続された半円筒状体は、その軸方向に垂直な第１の端面及び第２の端面をさらに備えており、
　前記第１の端面及び第２の端面の前記半円筒状体内に面する表面は、遠赤外線の反射材を含んでおり、
　前記第２の端面は、前記軸の周囲において、使用者の首を収容可能な開口部を備え、該第２の端面の開口部には柔軟な部材からなるネックカバーを備えており、
　前記各半円筒状体の軸方向端部であって他の半円筒状体と接続される端部には、当該接続部分に生じる隙間を密閉するための密閉機構を備えていることを特徴とする遠赤外線健康器。」
　
２．引用例
　原査定の拒絶の理由で引用された、登録実用新案第３０４４８３０号公報（以下、「引用例１」という。）、特開平８−１１２３０２号公報（以下、「引用例２」という。）には、次の事項が図面とともに記載されている。
（１）引用例１
ア．「【請求項１】  使用者が横になるマット（２）と、このマット（２）の上面に配設されて使用者の首から上を出すことができ内部を空洞とした本体カバー（３）とで構成され、この本体カバー（３）の内面に面状発熱体（２０）を略全面にわたって配設し、上記面状発熱体（２０）の内面の略全面にわたってマイナスイオン及び遠赤外線を放射するトルマリン（２６）からなる遠赤外線放射体（２５）を配設していることを特徴とする遠赤外線美容健康器。…（中略）…
【請求項４】  上記マット（２）の上面には遠赤外線放射体（２５）からのマイナスイオンや遠赤外線を反射させる反射面（７２）が形成されていることを特徴とする請求項１〜請求項３にいずれか記載の遠赤外線美容健康器。…（中略）…
【請求項７】  上記本体カバー（３）は、前カバー（１０）と後カバー（４０）とで構成されると共に、円筒形を縦方向に略半分に切った形状とし、前カバー（１０）と後カバー（４０）とは重ね自在で、且つマット（２）上をスライド自在としていることを特徴とする請求項１〜請求項６にいずれか記載の遠赤外線美容健康器。」（実用新案登録請求の範囲）
イ．「上記本体カバー３は、前カバー１０と後カバー４０とで構成されており、前カバー１０は図４に示すように円筒状の筒体を半分に切った形状に形成され、前後面は開放されている。また、後カバー４０は、上記前カバー１０と同様に図７〜図９に示すように円筒状の筒体を半分に切った形状に形成され、前面は開放され、後面は後側部４１により閉塞されている。
　上記本体カバー３の後カバー４０の外径は、前カバー１０の内径より少し小さく設定されていて、後カバー４０と前カバー１０とは重ね自在となっている。また、前カバー１０及び後カバー４０はその長手方向に沿ってそれぞれ移動自在となっており、使用者の身長に合わせて本体カバー３の長さを調整することができるようになっている。」（段落【００２０】）
ウ．「図１に示すように、前カバー１０の前部側にはネックカバー３４が着脱自在に設けられている。この一対の扇形のカバー片３５、３６で構成されていて、このカバー片３５、３６の端縁にはマジックテープが設けられている。そして、前カバー１０の内側の周縁にも対応するマジックテープが装着されており、このマジックテープによりネックカバー３４が着脱自在となっている。
　ネックカバー３４を前カバー１０に装着した場合には、下部側で使用者の首の部分に対応した開口部３７が形成されるようになっている。」（段落【００２８】）
エ．「後カバー４０の内面のセンターリブ４２の両側には面状発熱体２０と遠赤外線放射体２５との２層構造となっており、後カバー４０の後部は後側部４１にて閉塞されてネックカバー３４と共に本体カバー３の内側から温かくなった空気が逃げないようにしている。
　後カバー４０の後部には図１０に示すように略半円形の後板４３が配設されていて、この後板４３の内面には止め具４４がビス等により固定されている。この止め具４４にヒータ止め板４５がビス等により固定され、さらに、このヒータ止め板４５に面状発熱体２０がビス等により固定されている。そして、この面状発熱体２０の表面に遠赤外線放射体２５が接着固定されるようになっている。」（段落【００３０】）
オ．「上記後板４３の上下には止め具４６が固定されており、この止め具４６に図１０及び図１１に示すように、ベニヤ合板からなる略半円状の閉塞板４７が固定されている。この閉塞板４７の略中央部分には開口窓４８が開口されており、この開口窓４８から上記遠赤外線放射体２５が臨んでいる。
　したがって、本体カバー３の内周面及び後面には面状発熱体２０及び遠赤外線放射体２５が配設されていることになり、本体カバー３の内面全体にわたって面状発熱体２０及び遠赤外線放射体２５が使用者の足裏の部分も含めた全身に対応して配置されているものである。」（段落【００３１】
　
　上記ア〜エの記載事項からみて、引用例１には次の発明（以下、「引用発明」という。）が記載されていると認められる。
「円筒形を縦方向に略半分に切った形状である前カバー１０と後カバー４０とで構成された本体カバー（３）と、この本体カバー（３）の内面に略全面にわたって配設された面状発熱体（２０）と、面状発熱体（２０）の内面の略全面にわたって配設された、マイナスイオン及び遠赤外線を放射するトルマリン（２６）からなる遠赤外線放射体（２５）と、使用者が横になるマット（２）とを備え、マット（２）の上面には遠赤外線放射体（２５）からのマイナスイオンや遠赤外線を反射させる反射面（７２）が形成されている遠赤外線美容健康器であって、
　本体カバー３の後カバー４０の外径は、前カバー１０の内径より少し小さく設定されていて、後カバー４０と前カバー１０とは重ね自在、長手方向に沿ってそれぞれ移動自在となっており、カバー１０の前部側にはネックカバー３４が着脱自在に設けられていて、後カバー４０の後部には略半円形の後板４３が配設されている遠赤外線美容健康器。」
　
（２）引用例２
ア．「図において、１および２は、ドーム状カバーであり、１は、頭部側、２は、足部側のカバーである。ドーム状カバーは、板状体を箱状本体３上に位置した人体の中心線に焦点が結ぶように凹面状に形成したものであって、少なくとも各カバーの内面にはカーボンブラック黒体面状発熱体４が積層されている。必要に応じて足部側のカバーの後端内面にもカーボンブラック黒体面状発熱体４を積層してもよい。…（略）…」（段落【００１１】）
イ．「上記カバー内面に設けられているカーボンブラック黒体面状発熱体４は、カーボンブラックが被覆されたエポキシ樹脂、メラミン樹脂、フェノール樹脂、ポリウレタン樹脂、ポリエステル樹脂、ポリスチロール樹脂、アクリル樹脂、ポリ塩化ビニル樹脂およびナイロン樹脂等の樹脂体からなっている。このカーボンブラックが被覆された樹脂発熱体は、人体の細胞と共振して最も良く吸収される３〜２０μの遠赤外線を放射する。…（略）…」（段落【００１２】）
　
３．対比
　本願発明と引用発明を比較する。
　引用発明の「使用者が横になるマット（２）」、「マット（２）の上面」、「遠赤外線を反射させる反射面（７２）が形成されている」、「遠赤外線美容健康器」は、その構造、機能からみて、本願発明の「使用者の体を支持する底面」、「底面の前記半円筒状体の内面に面する表面」、「遠赤外線の反射材を含んでいる」、「遠赤外線健康器」に相当し、引用発明の「円筒形を縦方向に略半分に切った形状である前カバー１０と後カバー４０とで構成された本体カバー（３）」は、本願発明の「複数個の半円筒状体」であって、引用発明の「本体カバー３の後カバー４０の外径は、前カバー１０の内径より少し小さく設定されていて、後カバー４０と前カバー１０とは重ね自在、長手方向に沿ってそれぞれ移動自在となっており」は、本願発明の複数個の半円筒状体が「軸方向に入れ子式に接続され」ているに相当する。
　また、引用発明の「この本体カバー（３）の内面に略全面にわたって配設された面状発熱体（２０）と、面状発熱体（２０）の内面の略全面にわたって配設された、マイナスイオン及び遠赤外線を放射するトルマリン（２６）からなる遠赤外線放射体（２５）」と本願発明の「半円筒状体の内面略全面に設けられた抵抗体としてカーボンブラックを含む面状発熱体」は、半円筒状体の内面略全面に設けられた遠赤外線放射手段である点で共通する。
　更に、引用発明の「カバー１０の前部側にはネックカバー３４が着脱自在に設けられていて、後カバー４０の後部には略半円形の後板４３が配設されている」は、本願発明の「半円筒状体は、その軸方向に垂直な第１の端面及び第２の端面をさらに備えており、第２の端面は、前記軸の周囲において、使用者の首を収容可能な開口部を備え、該第２の端面の開口部には…ネックカバーを備えており」に相当する。
　そうすると、両者は、
「軸方向に入れ子式に接続される複数個の半円筒状体と、半円筒状体の内面略全面に設けられた遠赤外線放射手段と、使用者の体を支持する底面と、を備え、前記底面の前記半円筒状体の内面に面する表面は、遠赤外線の反射材を含んでいる遠赤外線健康器であって、
　前記入れ子式に接続された半円筒状体は、その軸方向に垂直な第１の端面及び第２の端面をさらに備えており、第２の端面は、前記軸の周囲において、使用者の首を収容可能な開口部を備え、該第２の端面の開口部にはネックカバーを備えている遠赤外線健康器。」の点で一致し、次の点で相違する。
＜相違点１＞
　遠赤外線放射手段が、本願発明は、抵抗体としてカーボンブラックを含む面状発熱体であるのに対して、引用発明は、面状発熱体（２０）と、面状発熱体（２０）の内面の略全面にわたって配設された、マイナスイオン及び遠赤外線を放射するトルマリン（２６）からなる遠赤外線放射体（２５）である点。
＜相違点２＞
　半円筒状体の第１の端面及び第２の端面に関し、本願発明は、第１の端面及び第２の端面の前記半円筒状体内に面する表面は、遠赤外線の反射材を含んでいるのに対して、引用発明は、そのような構成を有していない点。
＜相違点３＞
　ネックカバーが、本願発明は、柔軟な部材からなっているのに対して、引用発明は、柔軟な部材からなっているか否か明確でない点。
＜相違点４＞
　本願発明は、各半円筒状体の軸方向端部であって他の半円筒状体と接続される端部には、当該接続部分に生じる隙間を密閉するための密閉機構を備えているのに対して、引用発明は、そのような構成を有していない点。
　
４．当審の判断
　上記相違点１〜４について以下検討する。
（１）相違点１について
　引用例２には、上記「２．（２）ア．イ．」の記載事項からみて、ドーム状カバー１、２の内面にはカーボンブラック黒体面状発熱体４が積層されていて、このカーボンブラックが被覆された樹脂発熱体は、人体の細胞と共振して最も良く吸収される３〜２０μの遠赤外線を放射することが記載されている。そして、引用例２の「ドーム状カバー１、２」、「カーボンブラック黒体面状発熱体４」は、その機能、構造からみて、本願発明の「半円筒状体」、「抵抗体としてカーボンブラックを含む面状発熱体」に相当するから、結局のところ、引用例２には、遠赤外線放射手段が、抵抗体としてカーボンブラックを含む面状発熱体である発明が記載されていると認められる。
　そうすると、遠赤外線放射手段として、抵抗体としてカーボンブラックを含む面状発熱体を採用し、本願発明の上記相違点１に係る発明特定事項とすることは引用発明及び引用例２に記載された発明から当業者が容易に想到し得たことである。
（２）相違点２について
　本願発明のような遠赤外線健康器を設計する上において、熱の損失を防止することは、当然に考慮することであって（ネックカバー等を設けることも暖かい空気が逃げることを防止している。）、遠赤外線の放射熱を充分に遮蔽して熱の損失を効果的に防止することも設計上当然に考慮すべきことであり、そのために、第１、２の端面の表面に遠赤外線の反射材を設ければよいことは当業者にとって自明な事項である。
　そうすると、本願発明の上記相違点２に係る発明特定事項とすることは当業者の容易になし得た設計的事項である。　
（３）相違点３について
　ネックカバーは、使用者の首を囲み、内部の暖かい空気が逃げるのを防止するものであるから、これを、柔軟な材料で作成することは、当業者ならば当然になし得た設計的事項である。
（４）相違点４について
　各半円筒状体の軸方向端部であって他の半円筒状体と接続される端部には、当該接続部分に生じる隙間を密閉するための密閉機構を備えることは、当該技術分野において周知の技術である（例えば、特公平１−２７７５２号公報参照）。
　したがって、本願発明の上記相違点４に係る発明特定事項とすることは引用発明及び周知の事項から当業者の容易に想到し得たことである。
　
　そして、上記相違点１〜４によって、本願発明が奏する作用、効果も、引用発明、引用例２に記載された発明及び上記周知の技術から予測される範囲のものであって、格別なものではない。
　
　なお、審判請求人は、平成１８年６月２６日付け回答書において、請求項１を次のように補正したいと補正案を提示している。
「軸方向に入れ子式に接続される複数個の半円筒状体と、 
 　前記半円筒状体の内面略全面に設けられた抵抗体としてカーボンブラックを含む面状発熱体と、 
 　使用者の体を支持する底面と、を備え、 
 　前記底面の前記半円筒状体の内面に面する表面は、遠赤外線の反射材を含んでいる遠赤外線健康器であって、 
 　前記入れ子式に接続された半円筒状体は、その軸方向に垂直な第１の端面及び第２の端面をさらに備えており、 
 　前記第１の端面
の前記半円筒状体内に面する表面は、遠赤外線のカーボンブラック面状発熱体を含み、
 　前記第２の端面の前記半円筒状体内に面する表面は、遠赤外線の反射材を含んでおり、
 　前記第２の端面は、前記軸の周囲において、使用者の首を収容可能な開口部を備え、該第２の端面の開口部には柔軟な部材からなるネックカバーを備えており、 
 　前記各半円筒状体の軸方向端部であって他の半円筒状体と接続される端部には、当該接続部分に生じる隙間を密閉するための密閉機構を備えていることを特徴とする遠赤外線健康器。」
　しかしながら、半円筒状体の第１の端面の前記半円筒状体内に面する表面に遠赤外線放射手段を設けることは引用例１（上記「２．（１）オ」の記載事項参照）、引用例２（上記「２．（２）ア」の記載事項参照）に記載されているから、請求項１が上記補正案のとおり補正されたとしても、補正後の請求項１に係る発明は、引用発明、引用例２に記載された発明及び上記周知の技術に基いて当業者が容易に発明をすることができたものである。
　
５．むすび
　以上のとおり、本願発明は、引用発明、引用例２に記載された発明及び上記周知の技術に基いて当業者が容易に発明をすることができたものであるから、特許法第２９条第２項の規定により特許を受けることができない。
　よって、結論のとおり審決する。